(57)【要約】【課題】  リーダライタのアンテナを棒状にし、且つ商品に取り付けられたＩＣタグのループアンテナの中心部を開口することにより、ＩＣタグが取り付けられた商品の、タグ同士の干渉や金属による電磁波障害の影響を無くしたリーダライタを提供する。【解決手段】  光ディスク管理装置３００は、外部にありリーダライタ１００に対してデータの授受を行ってシステム全体を制御するコンピュータ１５０と、所定の変調方式に基づく搬送電力の送信とデータの授受をＩＣタグ２００との間で非接触にて行うリーダライタ１００と、光ディスクの軸穴と略同じ径を有する棒状アンテナ９と、本発明のＩＣタグ２００を備えた複数の光ディスク４００と、棒状アンテナ９と複数の光ディスク４００を保持する保持台５７とを備えて構成される。【選択図】  図７
2005165839.tif 000002
【特許請求の範囲】
【請求項１】
所定の変調方式に基づく搬送電力の送信とデータの授受をＩＣタグとの間で非接触にて行うリーダライタであって、
前記リーダライタは棒状の磁心に導線を所定回数巻きつけた棒状アンテナを備え、前記ＩＣタグのループアンテナと前記棒状アンテナの磁心が互いに挿通し合うことにより、前記ＩＣタグに起電力を誘起して、前記ＩＣタグとの間で所定の変調方式に基づく搬送電力の送信とデータの授受を行うことを特徴とするリーダライタ。
【請求項２】
前記棒状アンテナの磁心材料は、フェライト、純鉄、珪素鋼、鉄・ニッケル合金、及びダストコアであることを特徴とする請求項１に記載のリーダライタ。
【請求項３】
前記棒状アンテナは、前記棒状磁心の長手方向の全長又は一部に亘って前記導線を所定回数巻きつけたことを特徴とする請求項１又は２に記載のリーダライタ。
【請求項４】
請求項１記載のリーダライタのリードライト対象物としての前記ＩＣタグは、誘電体基板と、該誘電体基板の所定の位置に設けた開口部の周縁に導線を所定回数周回して形成したループアンテナと、該ループアンテナを介して所定の変調方式に基づく搬送電力の送信とデータの授受を制御する集積回路とを備えたことを特徴とするＩＣタグ。
【請求項５】
請求項４記載のＩＣタグの前記集積回路のメモリに当該ＩＣタグの取付対象物に関する必要情報を記憶し、当該ＩＣタグの開口部と前記取付対象物の開口部との位置関係が一致するように構成することにより、前記取付対象物の開口部を請求項１記載のリーダライタの前記棒状アンテナに挿入、若しくは前記棒状アンテナを前記取付対象物の開口部に挿入して前記取付対象物の必要情報の読み書きを行うことを特徴とする物品管理装置。
【請求項６】
請求項２又は３に記載の棒状アンテナをディスク回転軸内に形成したディスク機構部と、請求項４に記載のＩＣタグを備えた光ディスクと、請求項１乃至３の何れか一項に記載のリーダライタとを備え、
前記光ディスク機構部に前記光ディスクを装填することにより、該光ディスクのＩＣタグに記憶された情報を読み書きすると共に、該光ディスクの記録情報を読み書きすることを特徴とする光ディスク装置。
【請求項７】
前記ＩＣタグは、前記光ディスクに貼付若しくは一体に形成されていることを特徴とする請求項６に記載の光ディスク装置。
【発明の詳細な説明】
【技術分野】
【０００１】
本発明は、非接触ＩＣタグ用リーダライタに関し、さらに詳しくは、金属による電波障害を回避する技術手段に関するものである。
【背景技術】
【０００２】
近年、ＩＣカードと呼ばれる新しい情報記録媒体が、市場に広く出回っている。ＩＣカードは、クレジットカード、銀行カード、ポイントカード等のカード状あるいはシート状の形状を備え、カード内にＩＣ(Integrated Circuit)が組み込まれているものを総称した名称である。最近では、ＩＣカードの応用品としてのＩＣタグが、各種物品に付されて在庫管理等の効率化に貢献している。このようなＩＣカードやＩＣタグは、リーダライタとの間でのデータの授受を電波にて行うため、定期券等のように１枚単位で処理されるＩＣカードでは特に発生しない特有の問題を有している。
即ち、商品がＣＤやＤＶＤ等の光ディスクの場合、記録媒体の情報記録領域にレーザ光を反射するための金属箔が形成されているため、その上にＩＣタグを取り付けると金属箔によりリーダライタからの電波が反射と減衰によりＩＣタグが動作するための必要磁界に達しなくなり、情報が正確に読み書きできなくなるといった問題がある。仮にＩＣタグを光ディスクのケースの隅部等に取り付けて金属箔に重ならないようにすれば１枚単位では情報の読み書きは可能であるが、ケースと光ディスクが別体のため、必ずしもＩＣタグから読み書きする情報が、光ディスク本体の記録情報と一致する保証がなくなる。
また前述の金属箔により電波が反射されて情報が正確に読み書きできないといった問題を解決するために、ＩＣタグと金属との間に磁性シートを設け、それにより磁路を形成してタグ情報を読み取る技術がある。しかし、ＩＣタグを積載した場合、磁束は外側だけ通過して内側には磁束が通過しないため、内側のタグは交信できないといった問題が残る。
また従来技術として特開２００３−５９１７７公報には、コンピュータ記録媒体に記録した再生可能な音楽・画像などの情報に対して、不正使用防止、機密情報の漏洩あるいは個人認証による機密情報の保護管理を行う技術について開示されている。それによると、ＲＦＩＤおよびコンピュータ記録媒体にそれぞれ識別情報が記録されたＲＦＩＤ搭載コンピュータ記録媒体から情報を読み取り再生する際に、コンピュータに、前記記録媒体および前記ＲＦＩＤより識別情報を読み取り、双方の識別情報から正しい利用者と認識されたとき、前記記録媒体に記録されている情報を読み取り再生を可能とする機能を実現させるためのプログラムについて開示されている。
また特開２００２−２４５４３３公報には、光ディスクとＩＣカードの融合を図るために、光ディスクの非記録領域に一体的にループアンテナとＩＣチップを形成して光ディスクの管理を行う技術について開示されている。
また同一出願人より特開２００２−２４７７６公報として、リーダライタの磁束をＩＣカードに効率よく集中させるために、ループコイル内に磁心を挿入したリーダライタについて開示されている。
【特許文献１】特開２００３−５９１７７公報
【特許文献２】特開２００２−２４５４３３公報
【特許文献３】特開２００２−２４７７６公報
【発明の開示】
【発明が解決しようとする課題】
【０００３】
前述のように光ディスク或いは金属で構成される商品にＩＣタグを取り付けた場合、リーダライタの電波を金属が反射して正常に交信ができないといった問題がある。この問題を解決するために、光ディスクの金属箔が存在しない非情報記録領域にＩＣタグを取り付けたり、非磁性シートをＩＣタグに取り付けて磁路を形成する等の方法があるが、いずれの場合も複数の物品を重ねた場合、ＩＣタグ同士の干渉や金属の影響によりリーダライタとの交信が正常に行われないといった問題が残る。
また特許文献１に開示されている従来技術は、ＣＤ等の記録媒体面以外の場所にＲＦＩＤチップを埋め込んだ構成であり、複数のＣＤを重ねた場合、ＲＦＩＤチップの位置関係が重複する可能性があるため、ＩＣタグ同士の干渉により必ずしも全てのＲＦＩＤチップからの情報を正確に読み取れる保証はない。
また特許文献２に開示されている従来技術は、光ディスクにＩＣタグを一体的に構成し、光ディスクの情報は従来通り光ディスク装置により読み書きし、ＩＣタグの情報は別のリーダライタにより読み書きするものであり、特許文献１と同様の問題を含んでいる。
また特許文献３に開示されている従来技術は、あくまでも磁束をＩＣタグに効率良く通過させる技術であり、ループアンテナの磁心にＩＣタグのループアンテナを挿通して読み書きするものではないため、複数のＩＣタグの記録情報を一括して読み書きすることはできない。
本発明は、かかる課題に鑑み、リーダライタのアンテナを棒状にし、且つ商品に取り付けられたＩＣタグのループアンテナの中心部を開口することにより、ＩＣタグが取り付けられた商品の、タグ同士の干渉や金属による電磁波障害の影響を無くしたリーダライタを提供することを目的とする。
【課題を解決するための手段】
【０００４】
本発明はかかる課題を解決するために、請求項１は、所定の変調方式に基づく搬送電力の送信とデータの授受をＩＣタグとの間で非接触にて行うリーダライタであって、前記リーダライタは棒状の磁心に導線を所定回数巻きつけた棒状アンテナを備え、前記ＩＣタグのループアンテナと前記棒状アンテナの磁心が互いに挿通し合うことにより、前記ＩＣタグに起電力を誘起して、前記ＩＣタグとの間で所定の変調方式に基づく搬送電力の送信とデータの授受を行うことを特徴とする。
磁心に巻きつけたコイルに信号（交流信号）を流すと、磁心に磁束の変化が生じる。一方、磁心にループアンテナを挿通すると磁束変化による誘導作用によって、ループアンテナに起電力が誘起される。本発明はこの原理を利用してリーダライタのアンテナを棒状の磁心とし、そこにコイルを所定ピッチにて巻きつけ、その磁心にＩＣタグのループアンテナを挿通するものである。
かかる発明によれば、ＩＣタグのループアンテナと棒状アンテナの磁心が互いに挿通し合うので、金属による電波障害の影響を無くすことができる。
請求項２は、前記棒状アンテナの磁心材料は、フェライト、純鉄、珪素鋼、鉄・ニッケル合金、及びダストコアであることを特徴とする。
コイルに電流を流すと、その周囲には磁界が生ずるが、コイルの中に磁心を入れると磁心は磁石となり更に磁界が強まる。磁心には比透磁率が大きくヒステリシス現象の小さいものが好ましい。このような条件を満足する磁心として、フェライト、純鉄、珪素鋼、鉄・ニッケル合金、及びダストコアがある。
かかる発明によれば、棒状アンテナの磁心材料がフェライト、純鉄、珪素鋼、鉄・ニッケル合金、及びダストコアであるので、磁心の比透磁率を大きく、且つヒステリシス現象を小さくすることができる。
【０００５】
請求項３は、前記棒状アンテナは、前記棒状磁心の長手方向の全長又は一部に亘って前記導線を所定回数巻きつけたことを特徴とする。
棒状アンテナの磁束は、磁心に巻きつけられたコイルの巻き数（Ｎ）と電流（Ａ）の積（ＡＴ）に比例する。従って、送信パワーを増やさないで所定の磁束を得るには、磁心の長手方向の全長又は一部に亘ってコイルを巻きつけ巻き数（Ｎ）を増やす必要がある。また、ループアンテナとの相互誘導作用を強めるには棒状アンテナのコイルとループアンテナが近いほど強くなる。そのためにも磁心の長手方向の全長又は一部に亘って導線を巻きつけることは、相互誘導作用を強めるには有効である。
かかる発明によれば、棒状アンテナは、磁心の長手方向の全長又は一部に亘って導線を所定回数巻きつけた構成とするので、棒状アンテナとループアンテナとの相互誘導作用を強め、且つ送信パワーを必要最小限にすることができる。
請求項４は、請求項１記載のリーダライタのリードライト対象物としての前記ＩＣタグは、誘電体基板と、該誘電体基板の所定の位置に設けた開口部の周縁に導線を所定回数周回して形成したループアンテナと、該ループアンテナを介して所定の変調方式に基づく搬送電力の送信とデータの授受を制御する集積回路とを備えたことを特徴とする。
本発明のもう一つの特徴はＩＣタグの構成である。即ち、ＩＣタグを誘電体基板で構成し、その基板の所定の位置に中心部を開口したループアンテナを形成して制御用の集積回路（ＩＣ）を搭載する。この構成により、ループアンテナとリーダライタの棒状アンテナとが確実に相互誘導作用により結合することができる。
かかる発明によれば、ＩＣタグは、誘電体基板の所定の位置に設けた開口部の周回に導線を所定回数周回して形成したループアンテナと、このループアンテナを介して所定の変調方式に基づく搬送電力の送信とデータの授受を制御する集積回路とを備えたので、ループアンテナとリーダライタの棒状アンテナとが確実に相互誘導作用により結合して、リーダライタとＩＣタグの交信を確実なものにすることができる。
【０００６】
請求項５は、請求項４記載のＩＣタグの前記集積回路のメモリに当該ＩＣタグの取付対象物に関する必要情報を記憶し、当該ＩＣタグの開口部と前記取付対象物の開口部との位置関係が一致するように構成することにより、前記取付対象物の開口部を請求項１記載のリーダライタの前記棒状アンテナに挿入、若しくは前記棒状アンテナを前記取付対象物の開口部に挿入して前記取付対象物の必要情報の読み書きを行うことを特徴とする。
ＩＣタグのループアンテナの中心部には、棒状アンテナを（に）挿入するための開口部（穴）が形成されている。従って、ＩＣタグを物品に取り付ける場合は、その物品の必要情報をメモリに記憶し、且つその開口部と物品の開口部を一致するように構成する必要がある。そうすることにより、物品の開口部を（に）棒状アンテナに（を）挿入すると、物品の必要情報を取得することができる。
かかる発明によれば、ＩＣタグの集積回路のメモリに当該ＩＣタグを取り付ける物品の必要情報を記憶し、当該ＩＣタグの開口部と物品の開口部との位置関係が一致するように構成するので、物品の開口部を（に）棒状アンテナに（を）挿入すると、物品の必要情報を取得することができる。
請求項６は、請求項２又は３に記載の棒状アンテナをディスク回転軸内に形成したディスク機構部と、請求項４に記載のＩＣタグを備えた光ディスクと、請求項１乃至３の何れか一項に記載のリーダライタとを備え、前記光ディスク機構部に前記光ディスクを装填することにより、該光ディスクのＩＣタグに記憶された情報を読み書きすると共に、該光ディスクの記録情報を読み書きすることを特徴とする。
光ディスク装置の機構部にはディスクを回転するための回転軸がある。本発明はその回転軸に棒状アンテナを形成し、光ディスクの中心部分にＩＣタグを形成することにより、ＩＣタグの情報を読み書きすると共に、光ディスクの記録情報を読み書きするものである。これにより、光ディスクのセキュリティを向上させ、不正なコピー等を防ぐことができる。
かかる発明によれば、光ディスクの回転軸に棒状アンテナを形成し、光ディスクの中心部分にＩＣタグを形成するので、光ディスクのセキュリティを向上させ、不正なコピー等を防ぐことができる。
【０００７】
請求項７は、前記ＩＣタグは、前記光ディスクに貼付若しくは一体に形成されていることを特徴とする。
既に存在する光ディスクの在庫管理等を行う場合は、誘電体基板上に形成されたＩＣタグを後から光ディスクに貼付する必要がある。この場合、任意に管理対象とする光ディスクを選択することができるが、貼付する手間がかかり、ＩＣタグを剥がされるといった危険性がある。それに対して、光ディスクの製造段階で一体的にＩＣタグを埋め込んでおけば、そのような危険性は回避できる。
かかる発明によれば、ＩＣタグは、光ディスクに貼付若しくは一体に形成されているので、既存の光ディスクから新規に製造するディスクまで広い範囲で対応することができる。
【発明の効果】
【０００８】
請求項１の発明によれば、ＩＣタグのループアンテナと棒状アンテナの磁心が互いに挿通し合うので、金属による電波障害の影響を無くすことができる。
また請求項２では、棒状アンテナの磁心材料がフェライト、純鉄、珪素鋼、鉄・ニッケル合金、及びダストコアであるので、磁心の比透磁率を大きく、且つヒステリシス現象を小さくすることができる。
また請求項３では、棒状アンテナは、磁心の長手方向の全体又は一部に亘って導線を所定回数巻きつけた構成とするので、棒状アンテナとループアンテナとの相互誘導作用を強め、且つ送信パワーを必要最小限にすることができる。
また請求項４では、ＩＣタグは、誘電体基板の所定の位置に設けた開口部の周回に導線を所定回数周回して形成したループアンテナと、このループアンテナを介して所定の変調方式に基づく搬送電力の送信とデータの授受を制御する集積回路とを備えたので、ループアンテナとリーダライタの棒状アンテナとが確実に相互誘導作用により結合して、リーダライタとＩＣタグの交信を確実なものにすることができる。
また請求項５では、ＩＣタグの集積回路のメモリに当該ＩＣタグを取り付ける物品の必要情報を記憶し、当該ＩＣタグの開口部と物品の開口部との位置関係が一致するように構成するので、物品の開口部を（に）棒状アンテナに（を）挿入すると、物品の必要情報を取得することができる。
また請求項６では、光ディスクの回転軸に棒状アンテナを形成し、光ディスクの中心部分にＩＣタグを形成するので、光ディスクのセキュリティを向上させ、不正なコピー等を防ぐことができる。
また請求項７では、ＩＣタグは、光ディスクに貼付若しくは一体に形成されているので、既存の光ディスクから新規に製造するディスクまで広い範囲で対応することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明のリーダライタの構成を示すブロック図である。このリーダライタ１００は、外部にあってリーダライタ１００に対してデータの授受を行ってシステム全体を制御するコンピュータ（以下、ＰＣと記す）１５０と、外部のＰＣ１５０とのデータの通信プロトコルを司る送受信装置１と、リーダライタ１００全体の動作を制御する制御装置（ＣＰＵ）２と、制御装置２を動作させる手順を記録したプログラムを格納するメモリ装置３と、制御装置２からのデータを搬送波に乗せて変調する変調器４と、操作コマンドを入力する入力装置５と、制御装置２からの情報を表示する表示装置６と、制御装置２からの交流信号である電力供給用信号と変調器４からの書き込みコマンドを電力増幅する電力増幅器７と、棒状アンテナ９から受信した信号から２値化データに変換する検波復調器８と、図示しないＩＣタグとの電力用搬送波とデータの授受をする棒状アンテナ９（詳細は後述する）とを備えて構成されている。
図２は、本発明のＩＣタグの構成を示すブロック図である。このＩＣタグ２００は、前記リーダライタ１００からの電力用搬送波によりデータの授受をするループアンテナ２０と、書き込みコマンド読み出しコマンドを送受する送受信装置２１と、ループアンテナ２０からの電力用搬送波を受け、それを整流して直流電力に変換する電力生成回路２２と、制御用プログラムとデータの一時記憶を司るメモリ装置２３と、制御回路２６からの搬送波に送信コマンドを乗せて変調する変調器２４と、送受信装置２１からの搬送波データから２値化データに変換する復調器２５と、ＩＣタグ２００の全体の動作を制御する制御回路２６から構成されている。尚、本実施形態の場合は、ループアンテナ２０以外の回路は１つのＩＣ２０１（以下、制御ＩＣと記す）として集積化されている。
【００１０】
次に、図１と図２を参照してそれぞれの動作について説明する。リーダライタ１００は、図示しない電源が投入されると、制御装置２のイニシャル動作後、メモリ装置３に記憶されたプログラムに従い動作を開始する。まず、制御装置２は、ＩＣタグ２００に供給する電力供給用信号と、ポーリング信号を電力増幅器７から送信する。その信号は、棒状アンテナ９から電磁波として外部に放射される。次に、ＩＣタグ２００のループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って制御を開始する。
次に、ＩＣタグ２００の制御回路２６は、まず送受信装置２１からコマンドを復調器２５で復調して２値化信号に変換し、そのコマンドを解析する。その結果自分が呼び出されていることを認識すると、レスポンスを変調器２４により変調して送受信装置２１を介してループアンテナ２０から送信する。
このレスポンスをリーダライタ１００が棒状アンテナ９で受信して、検波復調器８で２値化コードに変換し、制御装置２により解析してＩＣタグ２００が規格に合致したタグであると認識する。それにより、以後リーダライタ１００とＩＣタグ２００の間で通信が行われる。
図３は、本発明のＩＣタグ２００の一例を示す外観図である。同一構成要素には同一参照番号を付して説明する。このＩＣタグ２００は、略中心に開口部３１を有する誘電体基板３２と、この誘電体基板３２上にパターン化して形成されたループアンテナ２０と、ループアンテナ２０を介してデータの授受を行う制御ＩＣ２０１とを備えて構成される。尚、誘電体基板３２の材質はガラスエポキシ材等の堅い材質でもよいし、ＦＰＣ等のフレキシブルな材質のどちらでも構わない。また、開口部３１とループアンテナ２０の形状は図では円形であるが、形状は円形である必要はない。そしてその大きさは、相手側の棒状アンテナ（又はＬ字やＵ字型アンテナ等）の大きさにより決定される。このＩＣタグ２００の最も大きな特徴は、誘電体基板３２の略中心に開口部３１を設け、その周回にループアンテナ２０を形成した点である。
図４は、本発明のＩＣタグ２００を備えた光ディスクの外観図である。この光ディスク４００は、光ディスクのベース４１に形成された情報記録領域４２以外の内周部４３に、ＩＣタグ２００を配置したものである。そして光ディスク４００の開口部４０と、ＩＣタグ２００の開口部３１の穴位置を一致させたものである。尚、ＩＣタグ２００は後から光ディスク４００に取り付けても良いし、光ディスク４００の製造段階で一体的に構成しても良い。
【００１１】
図５は、本発明の棒状アンテナの一例を示す外観構成図である。この棒状アンテナ９は、磁心４５に導線４６をコイル状に巻きつけ、その導線４６の始端４７と終端４８にリーダライタ１００と接続するリード線４９を備えて構成される。
尚、磁心４５の材料としては、比透磁率が大きくヒステリシス現象の小さいものが好ましい。このような条件を満足する磁心として、フェライト、純鉄、珪素鋼、鉄・ニッケル合金、及びダストコアがある。また、導線４６に図では帯状の導線を使用しているが、線状の導線でも構わない。
図６は、本発明の棒状アンテナによるデータ交信方法を説明する図である。図６（ａ）はＩＣタグの近傍に金属が存在する場合を仮定した様子を表す図であり、図６（ｂ）はそのときの原理図である。例えば、棒状アンテナ９の磁心４５に導線４６を巻きつけ、その始端と終端に交流信号５０を供給した場合を考える。例えば、ある瞬間に矢印５１の方向に電流が流れたとすると、磁心４５に磁束５２が発生する。そのとき磁心４５に本発明の光ディスク４００ａ、４００ｂが挿入されており、且つ光ディスク４００ｂの近傍に金属板５３が存在したとする。（この金属板５３は、例えば光ディスクを分類するための境界として使用する）また光ディスク４００ａ、４００ｂにはＩＣタグ２００ａ、２００ｂが取り付けられている。この図から明らかなように、ＩＣタグ２００ａ、２００ｂには金属板５３の存在の如何にかかわらず磁束５２が通過することになる（即ち、ＩＣタグ２００ａ、２００ｂのループアンテナに磁束５２が通過する）。これにより、ループアンテナ２０は磁束５２の磁束変化により起電力が誘起される。このことは言い換えると、光ディスク４００ｂの近傍に金属板５３が存在してもその影響を受けないことを表している。
図６（ｂ）は上記の説明を更に詳しく説明するための原理図である。同じ構成要素には同じ参照番号を付して説明する。ここで、導線４６の巻き数をＴ、交流信号５０の電流をＡ、磁路の抵抗をＲとすると、磁心４５の磁束ψはψ＝ＡＴ／Ｒとなる。そして金属板５３は巻き数が１回のコイルと見なせる。従って、磁束５２が発生すればその影響を殆ど受けることなくＩＣタグ２００ｂのループアンテナ２０に起電力が誘起される。即ち、磁心４５内であれば何枚の光ディスクが存在してもＩＣタグとリーダライタとの交信が可能である。
また、前述より棒状アンテナの磁束ψは、磁心４５に巻きつけられた導線４６の巻き数（Ｎ）と導線４６に流す電流（Ａ）の積（ＡＴ）に比例する。従って、送信パワーを増やさないで所定の磁束を得るには、磁心の長手方向の全体に亘って導線４６を巻きつけ巻き数（Ｎ）を増やす必要がある。また、ループアンテナとの相互誘導作用を強めるには棒状アンテナ９の導線４６とループアンテナが近いほど強くなる。そのためにも磁心の長手方向の全体に亘って導線を巻きつけることは、相互誘導作用を強めるには有効である。
【００１２】
図７は、本発明の第１の実施形態に係る棒状アンテナを備えたリーダライタによる光ディスク管理装置の構成図である。同じ構成要素には同じ参照番号を付して説明する。ＣＤやＤＶＤ等の光ディスクを管理する場合、従来ではラベルの表記で判断するか、ＰＣのドライブ装置に挿入して内容を確認しなければならなかった。また、内容の確認や仕分けが終了したか否かを判断するのが困難であった。本実施形態では、このような管理上の課題を解決するために、光ディスク管理装置３００は、外部にありリーダライタ１００に対してデータの授受を行ってシステム全体を制御するＰＣ１５０と、所定の変調方式に基づく搬送電力の送信とデータの授受をＩＣタグ２００との間で非接触にて行うリーダライタ１００と、光ディスクの軸穴と略同じ径を有する棒状アンテナ９と、本発明のＩＣタグ２００を備えた複数の光ディスク４００と、棒状アンテナ９と複数の光ディスク４００を保持する保持台５７とを備えて構成される。また、ＰＣ１５０とリーダライタ１００はケーブル５５により接続され、リーダライタ１００と棒状アンテナ９はケーブル５６により接続されている。尚、この図ではリーダライタ１００と棒状アンテナ９を別体の構成として説明しているが、両者が一体の構成でも構わない。
次に光ディスク管理装置３００の動作について図７を参照して説明する。まず、管理すべき複数の光ディスク４００を棒状アンテナ９に挿入する。このとき光ディスク４００の表裏の向きはどちらでも構わない。また、光ディスク４００の枚数は積載したときの高さが棒状アンテナ９の長さ以内であれば何枚でも構わない。そしてＰＣ１５０から読み取りコマンドを送信する指令がリーダライタ１００に出されると、リーダライタ１００は図６で説明したように棒状アンテナ９に信号を送信する。それにより棒状アンテナ９の磁心４５から磁束が発生し、光ディスク４００に取り付けられたＩＣタグ２００と交信を開始し、ＩＣタグ２００のメモリに記憶された情報が読み取られる。ＰＣ１５０は各光ディスク４００の情報をリーダライタ１００を介して受信してメモリに記憶する。また、必要であれば、ＰＣ１５０からリーダライタ１００を介して所定の光ディスクのタグ情報を書き換えることもできる。このように、ＩＣタグ２００を備えた光ディスク４００を棒状アンテナ９に挿入するだけで、容易に光ディスク４００を一括管理することができる。
【００１３】
図８は本発明の第２の実施形態に係る棒状アンテナを備えたリーダライタによる光ディスク装置の構成図である。同じ構成要素には同じ参照番号を付して説明する。この光ディスク装置５００は、棒状アンテナ９を内装したディスク回転軸６１と、ＩＣタグ２００を備えた光ディスク４００と、光ディスク４００に情報を読み書きする光ピックアップ６２と、光ピックアップ６２を駆動するディスクドライバ６０と、ＩＣタグ用リーダライタ１００と、全体を制御するＰＣ１５０とを備えて構成される。
図８を参照して動作を説明する。図７の第１の実施形態では複数の光ディスクのＩＣタグ情報を一括して処理したが、本実施形態では、光ディスクに記録された情報の処理と、ＩＣタグの情報の処理を光ディスク１枚単位で同時に行うものである。そのために、通常のディスク操作が可能な機構の他に、ＩＣタグのリーダライタを併せて備えるものである。本実施形態では、例えば、光ディスクのセキュリティを行う場合について説明する。まずディスク回転軸６１に光ディスク４００を装填する。そしてＰＣ１５０がこの光ディスクのＩＣタグに記憶されている情報を読みとった結果、ＩＣタグにコピー禁止の情報が書き込まれていた場合、ＰＣ１５０からコピー動作の指示が出されると、表示部にコピー不可の表示をして動作を停止する。また他の例として、ＩＣタグ２００に光ディスク４００の書き換え不可の領域を指定しておくことにより、光ディスク４００の重要なデータが消失することを未然に防止できる。
【００１４】
図９は本発明の第３の実施形態に係る棒状アンテナを備えたリーダライタによる金属板管理装置の構成図である。同じ構成要素には同じ参照番号を付して説明する。この金属板管理装置６００は、棒状アンテナ９と、ＩＣタグ２００を備えた複数の金属板６５と、金属板６５を保持する保持台６６と、ＩＣタグ用リーダライタ１００と、全体を制御するＰＣ１５０とを備えて構成される。
図９を参照して動作を説明する。金属にＩＣタグを取り付けた場合、リーダライタからの電波が反射と減衰によりＩＣタグが動作するための必要磁界に達しなくなり、交信が正常に行われないことは既に述べた。管理する品物が金属の場合、ＩＣタグを取り付けただけでは前述と同じ問題により交信が正常に行われない。そこで本実施形態では、金属板６５の所定の場所に開口部６７を設け、その開口部６７と一致するようにＩＣタグ２００の開口部を備えることにより、金属の影響を回避して（その理由は図６を参照）ＩＣタグ２００の情報を読み書きすることができる。本実施形態では、管理する品物が金属の場合について説明したが、特に金属に限定する必要はないのは言うまでもない。
【図面の簡単な説明】
【００１５】
【図１】本発明のリーダライタの構成を示すブロック図である。
【図２】本発明のＩＣタグの構成を示すブロック図である。
【図３】本発明のＩＣタグ２００の一例を示す外観図である。
【図４】本発明のＩＣタグ２００を備えた光ディスクの外観図である。
【図５】本発明の棒状アンテナの一例を示す外観構成図である。
【図６】本発明の棒状アンテナによるデータ交信方法を説明する図である。
【図７】本発明の第１の実施形態に係る棒状アンテナを備えたリーダライタによる光ディスク管理装置の構成図である。
【図８】本発明の第２の実施形態に係る棒状アンテナを備えたリーダライタによる光ディスク装置の構成図である。
【図９】本発明の第３の実施形態に係る棒状アンテナを備えたリーダライタによる金属板管理装置の構成図である。
【符号の説明】
【００１６】
９  棒状アンテナ、５７  保持台、１００  リーダライタ、１５０  コンピュータ、２００  ＩＣタグ、３００  光ディスク管理装置、４００  光ディスク
【図１】
2005165839.tif 000003
【図２】
2005165839.tif 000004
【図３】
2005165839.tif 000005
【図４】
2005165839.tif 000006
【図５】
2005165839.tif 000007
【図６】
2005165839.tif 000008
【図７】
2005165839.tif 000009
【図８】
2005165839.tif 000010
【図９】
2005165839.tif 000011